(57)【要約】【課題】軽量化とねじり剛性の向上を図ると同時に、曲げ剛性の向上を図ることができるレシプロエンジンのクランク軸を提供する。【解決手段】クランク軸は、回転中心軸となるジャーナル部Ｊと、このジャーナル部Ｊに対して偏心したピン部Ｐと、ジャーナル部Ｊとピン部Ｐをつなぐクランクアーム部Ａと、クランクアーム部Ａと一体のカウンターウエイト部Ｗと、を備え、クランクアーム部Ａのピン部Ｐ側の表面において、この表面の輪郭に沿った両側それぞれの縁部１１の内側にこの縁部１１に沿って凹部１０が形成されている。このクランク軸は、軽量化とねじり剛性及び曲げ剛性の向上を実現できる。【選択図】図７
2018197610.tif 000002
【特許請求の範囲】
【請求項１】
回転中心軸となるジャーナル部と、このジャーナル部に対して偏心したピン部と、前記ジャーナル部と前記ピン部をつなぐクランクアーム部と、前記クランクアーム部と一体のカウンターウエイト部と、を備え、前記クランクアーム部と、前記カウンターウエイト部とは、継ぎ目を有しない一体形状であり、レシプロエンジンに搭載されるクランク軸であって、
前記クランクアーム部の前記ピン部側の表面において、この表面の輪郭に沿った両側それぞれの縁部のうち、一方の前記縁部の内側にこの縁部に沿って第１の凹部が形成されており、他方の前記縁部の内側にこの縁部に沿って前記第１の凹部と分離した第２の凹部が形成されており、
前記第１の凹部の、前記ジャーナル部の軸心と前記ピン部の軸心とを結ぶ直線側の縁は、前記クランクアーム部の縁部に沿い、
前記第２の凹部の、前記ジャーナル部の軸心と前記ピン部の軸心とを結ぶ直線側の縁は、前記クランクアーム部の縁部に沿い、
前記クランクアーム部の前記第１の凹部と前記第２の凹部との間の領域が厚肉化されており、
前記クランクアーム部の前記ピン部側の表面において、前記第１の凹部と前記第２の凹部とをクランク軸の回転中心の位置でつなげる第３の凹部が形成されている、レシプロエンジンのクランク軸。
【請求項２】
回転中心軸となるジャーナル部と、このジャーナル部に対して偏心したピン部と、前記ジャーナル部と前記ピン部をつなぐクランクアーム部と、前記クランクアーム部と一体のカウンターウエイト部と、を備え、前記クランクアーム部と、前記カウンターウエイト部とは、継ぎ目を有しない一体形状であり、レシプロエンジンに搭載されるクランク軸であって、
前記クランクアーム部の前記ピン部側の表面において、この表面の輪郭に沿った両側それぞれの縁部のうち、一方の前記縁部の内側にこの縁部に沿って第１の凹部が形成されており、他方の前記縁部の内側にこの縁部に沿って前記第１の凹部と分離した第２の凹部が形成されており、
前記第１の凹部の、前記ジャーナル部の軸心と前記ピン部の軸心とを結ぶ直線側の縁は、前記クランクアーム部の縁部に沿い、
前記第２の凹部の、前記ジャーナル部の軸心と前記ピン部の軸心とを結ぶ直線側の縁は、前記クランクアーム部の縁部に沿い、
前記クランクアーム部の前記第１の凹部と前記第２の凹部との間の領域が厚肉化されており、
前記クランクアーム部の前記ピン部側の表面において、前記第１の凹部と前記第２の凹部とをクランク軸の回転中心よりも前記ピン部寄りの位置でつなげる第３の凹部が形成されている、レシプロエンジンのクランク軸。
【請求項３】
回転中心軸となるジャーナル部と、このジャーナル部に対して偏心したピン部と、前記ジャーナル部と前記ピン部をつなぐクランクアーム部と、前記クランクアーム部と一体のカウンターウエイト部と、を備え、前記クランクアーム部と、前記カウンターウエイト部とは、継ぎ目を有しない一体形状であり、レシプロエンジンに搭載されるクランク軸であって、
前記クランクアーム部の前記ピン部側の表面において、この表面の輪郭に沿った両側それぞれの縁部のうち、一方の前記縁部の内側にこの縁部に沿って第１の凹部が形成されており、他方の前記縁部の内側にこの縁部に沿って前記第１の凹部と分離した第２の凹部が形成されており、
前記第１の凹部の、前記ジャーナル部の軸心と前記ピン部の軸心とを結ぶ直線側の縁は、前記クランクアーム部の縁部に沿い、
前記第２の凹部の、前記ジャーナル部の軸心と前記ピン部の軸心とを結ぶ直線側の縁は、前記クランクアーム部の縁部に沿い、
前記クランクアーム部の前記第１の凹部と前記第２の凹部との間の領域が厚肉化されており、
前記クランクアーム部の前記ピン部側の表面において、前記第１の凹部と前記第２の凹部とをクランク軸の回転中心よりも前記カウンターウエイト部寄りの位置で前記ジャーナル部の輪郭に沿ってつなげる第３の凹部が形成されている、レシプロエンジンのクランク軸。
【請求項４】
請求項１〜３のいずれかに記載のレシプロエンジンのクランク軸であって、
前記第１の凹部と前記第２の凹部とは、前記ジャーナル部の軸心と前記ピン部の軸心とを結ぶ直線に対して対称である、レシプロエンジンのクランク軸。
【発明の詳細な説明】
【技術分野】
【０００１】
本発明は、自動車用エンジン、船舶用エンジン、発電機等の汎用エンジンといったレシプロエンジンに搭載されるクランク軸に関する。
【背景技術】
【０００２】
レシプロエンジンは、シリンダ（気筒）内でのピストンの往復運動を回転運動に変換して動力を取り出すため、クランク軸を必要とする。クランク軸は、型鍛造によって製造されるものと、鋳造によって製造されるものとに大別される。特に、気筒数が２以上の多気筒エンジンには、強度と剛性に優れた前者の型鍛造クランク軸が多用される。
【０００３】
図１は、一般的な多気筒エンジン用クランク軸の一例を模式的に示す側面図である。図１に示すクランク軸１は、４気筒エンジンに搭載されるものであり、５つのジャーナル部Ｊ１〜Ｊ５、４つのピン部Ｐ１〜Ｐ４、フロント部Ｆｒ、フランジ部Ｆｌ、及びジャーナル部Ｊ１〜Ｊ５とピン部Ｐ１〜Ｐ４とをそれぞれつなぐ８枚のクランクアーム部（以下、単に「アーム部」ともいう）Ａ１〜Ａ８を備える。このクランク軸１は、８枚の全てのアーム部Ａ１〜Ａ８にカウンターウエイト部（以下、単に「ウエイト部」ともいう）Ｗ１〜Ｗ８を一体で有し、４気筒−８枚カウンターウエイトのクランク軸と称される。
【０００４】
以下、ジャーナル部Ｊ１〜Ｊ５、ピン部Ｐ１〜Ｐ４、アーム部Ａ１〜Ａ８及びウエイト部Ｗ１〜Ｗ８のそれぞれを総称するとき、その符号は、ジャーナル部で「Ｊ」、ピン部で「Ｐ」、アーム部で「Ａ」、ウエイト部で「Ｗ」と記す。ピン部Ｐ及びこのピン部Ｐにつながる一組のアーム部Ａ（ウエイト部Ｗを含む）をまとめて「スロー」ともいう。
【０００５】
ジャーナル部Ｊ、フロント部Ｆｒ及びフランジ部Ｆｌは、クランク軸１の回転中心と同軸上に配置される。ピン部Ｐは、クランク軸１の回転中心からピストンストロークの半分の距離だけ偏心して配置される。ジャーナル部Ｊは、すべり軸受けによってエンジンブロックに支持され、回転中心軸となる。ピン部Ｐには、すべり軸受けによってコネクティングロッド（以下、「コンロッド」ともいう）の大端部が連結され、このコンロッドの小端部にピストンがピストンピンによって連結される。
【０００６】
エンジンにおいて、各シリンダ内で燃料が爆発する。その爆発による燃焼圧は、ピストンの往復運動をもたらし、クランク軸１の回転運動に変換される。その際、燃焼圧は、コンロッドを介してクランク軸１のピン部Ｐに作用し、そのピン部Ｐにつながるアーム部Ａを介してジャーナル部Ｊに伝達される。これにより、クランク軸１は、弾性変形を繰り返しながら回転する。
【０００７】
クランク軸のジャーナル部を支持する軸受けには潤滑油が存在する。クランク軸の弾性変形に応じ、軸受け内の油膜圧力及び油膜厚さは、軸受け荷重及びジャーナル部の軸心軌跡と相互に関連しながら変化する。更に、軸受けにおけるジャーナル部の表面粗さと軸受けメタルの表面粗さに応じ、油膜圧力が生じるだけでなく、局部的な金属接触も生じる。油膜厚さの確保は、油切れによる軸受け焼き付きを防止するとともに、局部的な金属接触を防止するために重要である。燃費性能に影響するからである。
【０００８】
また、クランク軸の回転に伴う弾性変形、及び軸受け内のクリアランスの中で移動するジャーナル部の軸心軌跡は、回転中心のズレを生じさせるため、エンジン振動（マウント振動）に影響する。更にその振動は、車体を伝播して乗車室内のノイズ、乗り心地等に影響する。
【０００９】
このようなエンジン性能を向上させるため、クランク軸は剛性が高く、変形し難いことが求められる。これに加えて、クランク軸は軽量化が求められる。
【００１０】
クランク軸には、筒内圧（シリンダ内の燃焼圧）の荷重が負荷され、その他に回転遠心力の荷重が負荷される。これらの荷重に対する変形抵抗の付与のために、クランク軸のねじり剛性と曲げ剛性の向上が図られる。クランク軸の設計においては、ジャーナル部の直径、ピン部の直径、ピストンストローク等といった主要諸元が決定される。主要諸元が決定された後、アーム部の形状設計が残された設計領域となる。このため、アーム部の形状設計により、ねじり剛性と曲げ剛性を共に向上させることが、先ずは重要な要件となる。ここでいうアーム部は、上述のとおり、厳密にはジャーナル部とピン部とをつなぐ領域に限定された小判形状の部分であり、カウンターウエイト部の領域の部分は含まない。
【００１１】
一方、クランク軸には、静バランスと動バランスの釣り合いがとれた質量配分が必要である。運動力学的に回転体としてスムーズな回転を行えるようにするためである。これらの静バランスと動バランスをとるために、曲げ剛性とねじり剛性の要件から決定されたアーム部側の質量に対し、ウエイト部側の質量を、軽量化を踏まえて調整することが重要な要件となる。
【００１２】
静バランスは、アーム部及びウエイト部の各部分の質量モーメント（質量×重心半径）について、これらの全ての和が零になるように調整される。また、動バランスは、クランク軸の回転軸のある１点を基準とし、その基準点から各部分の重心までの軸方向の距離を各部分の質量モーメントに乗じ（質量×重心半径×軸方向距離）、これらの全ての和が零になるように調整される。
【００１３】
更に、１スロー内（１気筒に対応するクランク軸の領域）で燃焼圧荷重に対するバランスをとるためにバランス率が調整される。バランス率は、クランク軸のピン部を含む（厳密にはコンロッドの一部も含む）アーム部側の質量モーメントに対するウエイト部側の質量モーメントの割合である。このバランス率がある一定範囲内になるように調整される。
【００１４】
クランク軸のアーム部の剛性を高めることと軽量化を図ることは、トレードオフの関係にあるが、両者の要請を同時に達成するために、従来からアーム部形状に関する技術が様々提案されている。従来技術としては下記のものがある。
【００１５】
特許第４９９８２３３号公報（特許文献１）は、アーム部のピン部側の表面及びジャーナル部側の表面において、ジャーナル部の軸心とピン部の軸心とを結ぶ直線（以下、「アーム部中心線」ともいう）上に、集中して大きく窪む凹溝を設けたアーム部を開示する。特許文献１に開示されたアーム部は、軽量化と剛性の向上を狙うものである。ジャーナル部側表面の凹溝は質量の減少による軽量化に寄与し、しかも、この凹溝の周囲の厚肉部がねじり剛性の向上に寄与する。しかし、アーム部中心線上に集中して大きく窪む凹溝が存在することに起因し、実際のところでは、曲げ剛性の向上はあまり期待できない。
【００１６】
特表２００４−５３８４２９号公報（特許文献２）、特表２００４−５３８４３０号公報（特許文献３）、特開２０１２−７７２６号公報（特許文献４）、及び特開２０１０−２３００２７号公報（特許文献５）は、アーム部のジャーナル部側の表面において、アーム部中心線上に、大きく深く窪む穴部を設けたアーム部を開示する。特許文献２〜５に開示されたアーム部でも、軽量化とねじり剛性の向上が図られる。しかし、アーム部中心線上に大きく深く窪む穴部が存在することに起因し、実際のところでは曲げ剛性は低下する。
【先行技術文献】
【特許文献】
【００１７】
【特許文献１】特許第４９９８２３３号公報
【特許文献２】特表２００４−５３８４２９号公報
【特許文献３】特表２００４−５３８４３０号公報
【特許文献４】特開２０１２−７７２６号公報
【特許文献５】特開２０１０−２３００２７号公報
【発明の概要】
【発明が解決しようとする課題】
【００１８】
確かに、前記特許文献１〜５に開示された技術によれば、クランク軸の軽量化とねじり剛性の向上を図ることができる。しかし、クランク軸の曲げ剛性の向上については、それらの従来技術では限界があり、その技術革新が強く望まれている。
【００１９】
本発明は、このような実情に鑑みてなされたものであり、クランク軸の軽量化とねじり剛性及び曲げ剛性の向上を実現できるレシプロエンジンのクランク軸を提供することを目的とする。
【課題を解決するための手段】
【００２０】
本発明の一実施形態であるレシプロエンジンのクランク軸は、
回転中心軸となるジャーナル部と、このジャーナル部に対して偏心したピン部と、前記ジャーナル部と前記ピン部をつなぐクランクアーム部と、前記クランクアーム部と一体のカウンターウエイト部と、を備え、前記クランクアーム部と、前記カウンターウエイト部とは、継ぎ目を有しない一体形状であり、レシプロエンジンに搭載されるクランク軸であって、
前記クランクアーム部の前記ピン部側の表面において、この表面の輪郭に沿った両側それぞれの縁部のうち、一方の前記縁部の内側にこの縁部に沿って第１の凹部が形成されており、他方の前記縁部の内側にこの縁部に沿って前記第１の凹部と分離した第２の凹部が形成されており、
前記第１の凹部の、前記ジャーナル部の軸心と前記ピン部の軸心とを結ぶ直線側の縁は、前記クランクアーム部の縁部に沿い、
前記第２の凹部の、前記ジャーナル部の軸心と前記ピン部の軸心とを結ぶ直線側の縁は、前記クランクアーム部の縁部に沿い、
前記クランクアーム部の前記第１の凹部と前記第２の凹部との間の領域が厚肉化されており、
前記クランクアーム部の前記ピン部側の表面において、前記第１の凹部と前記第２の凹部とをクランク軸の回転中心の位置でつなげる第３の凹部が形成されている。
【００２１】
本発明の一実施形態であるレシプロエンジンのクランク軸は、
回転中心軸となるジャーナル部と、このジャーナル部に対して偏心したピン部と、前記ジャーナル部と前記ピン部をつなぐクランクアーム部と、前記クランクアーム部と一体のカウンターウエイト部と、を備え、前記クランクアーム部と、前記カウンターウエイト部とは、継ぎ目を有しない一体形状であり、レシプロエンジンに搭載されるクランク軸であって、
前記クランクアーム部の前記ピン部側の表面において、この表面の輪郭に沿った両側それぞれの縁部のうち、一方の前記縁部の内側にこの縁部に沿って第１の凹部が形成されており、他方の前記縁部の内側にこの縁部に沿って前記第１の凹部と分離した第２の凹部が形成されており、
前記第１の凹部の、前記ジャーナル部の軸心と前記ピン部の軸心とを結ぶ直線側の縁は、前記クランクアーム部の縁部に沿い、
前記第２の凹部の、前記ジャーナル部の軸心と前記ピン部の軸心とを結ぶ直線側の縁は、前記クランクアーム部の縁部に沿い、
前記クランクアーム部の前記第１の凹部と前記第２の凹部との間の領域が厚肉化されており、
前記クランクアーム部の前記ピン部側の表面において、前記第１の凹部と前記第２の凹部とをクランク軸の回転中心よりも前記ピン部寄りの位置でつなげる第３の凹部が形成されている。
【００２２】
回転中心軸となるジャーナル部と、このジャーナル部に対して偏心したピン部と、前記ジャーナル部と前記ピン部をつなぐクランクアーム部と、前記クランクアーム部と一体のカウンターウエイト部と、を備え、前記クランクアーム部と、前記カウンターウエイト部とは、継ぎ目を有しない一体形状であり、レシプロエンジンに搭載されるクランク軸であって、
前記クランクアーム部の前記ピン部側の表面において、この表面の輪郭に沿った両側それぞれの縁部のうち、一方の前記縁部の内側にこの縁部に沿って第１の凹部が形成されており、他方の前記縁部の内側にこの縁部に沿って前記第１の凹部と分離した第２の凹部が形成されており、
前記第１の凹部の、前記ジャーナル部の軸心と前記ピン部の軸心とを結ぶ直線側の縁は、前記クランクアーム部の縁部に沿い、
前記第２の凹部の、前記ジャーナル部の軸心と前記ピン部の軸心とを結ぶ直線側の縁は、前記クランクアーム部の縁部に沿い、
前記クランクアーム部の前記第１の凹部と前記第２の凹部との間の領域が厚肉化されており、
前記クランクアーム部の前記ピン部側の表面において、前記第１の凹部と前記第２の凹部とをクランク軸の回転中心よりも前記カウンターウエイト部寄りの位置で前記ジャーナル部の輪郭に沿ってつなげる第３の凹部が形成されている。
【発明の効果】
【００２３】
本発明によれば、アーム部のピン部側の表面に凹部が形成される。これにより、アーム部の両側の縁部が厚肉化され、その内側が凹部によって薄肉化される。更にその凹部の内側の中央部が厚肉化されるので、クランク軸の軽量化とねじり剛性及び曲げ剛性の向上を実現できる。
【図面の簡単な説明】
【００２４】
【図１】図１は、一般的な多気筒エンジン用クランク軸の一例を模式的に示す側面図である。
【図２】図２は、アーム部の曲げ剛性の評価法を説明するための模式図である。
【図３】図３は、アーム部のねじり剛性の評価法を説明するための模式図であり、図３（ａ）は１スローの側面図を、図３（ｂ）はその軸方向視での正面図をそれぞれ示す。
【図４】図４は、材料力学的にねじり剛性の観点からアーム部を単純な円板とみなした場合の典型例を示す図であって、図４（ａ）は矩形断面円板を、図４（ｂ）は凸型断面円板を、図４（ｃ）は凹型断面円板をそれぞれ示す。
【図５】図５は、材料力学的に曲げ剛性の観点からアーム部の断面形状を単純化しアーム部を単純な梁とみなした場合の典型例を示す図であって、図５（ａ）は矩形断面梁を、図５（ｂ）は凸型断面梁を、図５（ｃ）は凹型断面梁をそれぞれ示す。
【図６】図６は、曲げ剛性とねじり剛性に直接関連する断面２次モーメント及び極２次モーメントについて、断面形状に応じて大小関係をまとめた図である。
【図７】図７は、第１実施形態のクランク軸におけるアーム部形状の一例を模式的に示す図であり、図７（ａ）はピン部側からの軸方向視での正面図を、図７（ｂ）はＡ−Ａ断面図を、図７（ｃ）はＢ−Ｂ断面図を、図７（ｄ）はＣ−Ｃ断面図を、図７（ｅ）はＤ−Ｄ断面図をそれぞれ示す。
【図８】図８は、第２実施形態のクランク軸におけるアーム部形状の一例を模式的に示す図であり、図８（ａ）はピン部側からの軸方向視での正面図を、図８（ｂ）はＥ−Ｅ断面図を、図８（ｃ）はＦ−Ｆ断面図を、図８（ｄ）はＧ−Ｇ断面図を、図８（ｅ）はＨ−Ｈ断面図をそれぞれ示す。
【図９】図９は、第３実施形態のクランク軸におけるアーム部形状の一例を模式的に示す図であり、図９（ａ）はピン部側からの軸方向視での正面図を、図９（ｂ）はＩ−Ｉ断面図を、図９（ｃ）はＪ−Ｊ断面図を、図９（ｄ）はＫ−Ｋ断面図を、図９（ｅ）はＬ−Ｌ断面図をそれぞれ示す。
【図１０】図１０は、第４実施形態のクランク軸におけるアーム部形状の一例を模式的に示す図であり、図１０（ａ）はピン部側からの軸方向視での正面図を、図１０（ｂ）はＭ−Ｍ断面図を、図１０（ｃ）はＮ−Ｎ断面図を、図１０（ｄ）はＯ−Ｏ断面図を、図１０（ｅ）はＰ−Ｐ断面図をそれぞれ示す。
【発明を実施するための形態】
【００２５】
以下に、本発明のレシプロエンジンのクランク軸について、その実施形態を詳述する。
【００２６】
１．クランク軸の設計で考えるべき基本技術
１−１．アーム部の曲げ剛性
図２は、アーム部の曲げ剛性の評価法を説明するための模式図である。図２に示すように、クランク軸の各スローについて、シリンダ内での爆発による燃焼圧の荷重Ｆは、コンロッドを経由してピン部Ｐに負荷される。このとき、各スローは両端のジャーナル部Ｊが軸受けによって支持されるので、荷重Ｆはピン部Ｐからアーム部Ａを介してジャーナル軸受けに伝わる。これにより、アーム部Ａは３点曲げの荷重負荷状態となり、アーム部Ａに曲げモーメントＭが作用する。これに伴って、アーム部Ａには、板厚方向の外側（ジャーナル部Ｊ側）で圧縮応力が発生し、板厚方向の内側（ピン部Ｐ側）では引張応力が発生する。
【００２７】
ピン部Ｐ及びジャーナル部Ｊの各直径が設計諸元として決定されている場合、アーム部Ａの曲げ剛性は、各スローのアーム部形状に依存する。ウエイト部Ｗは曲げ剛性にほとんど寄与しない。このとき、ピン部Ｐの軸方向中央における燃焼圧負荷方向の変位ｕは、下記の式（１）で示すように、ピン部Ｐに負荷される燃焼圧の荷重Ｆに比例し、曲げ剛性に反比例する。
ｕ  ∝  Ｆ／（曲げ剛性）  …（１）
【００２８】
１−２．アーム部のねじり剛性
図３は、アーム部のねじり剛性の評価法を説明するための模式図であり、図３（ａ）は１スローの側面図を示し、図３（ｂ）はその１スローの軸方向視での正面図を示す。クランク軸はジャーナル部Ｊを中心に回転運動をしているので、図３に示すように、ねじりトルクＴが発生する。そこで、アーム部Ａのねじり剛性を高めることが必要である。クランク軸のねじり振動に対し、共振を起こすことなくスムーズな回転を確保するためである。
【００２９】
ピン部Ｐ及びジャーナル部Ｊの各直径が設計諸元として決定されている場合、アーム部Ａのねじり剛性は、各スローのアーム部形状に依存する。ウエイト部Ｗはねじり剛性にほとんど寄与しない。このとき、ジャーナル部Ｊのねじれ角γは、下記の式（２）で示すように、ねじりトルクＴに比例し、ねじり剛性に反比例する。
γ  ∝  Ｔ／（ねじり剛性）  …（２）
【００３０】
２．本発明のクランク軸
２−１．アーム部剛性向上のための考え方
上述のとおり、ウエイト部は曲げ剛性とねじり剛性にほとんど寄与しない。そこで、本実施形態では、軽量で曲げ剛性とねじり剛性が同時に向上するアーム部形状を提示する。
【００３１】
２−１−１．ねじり剛性を向上させる形状
ここでは、材料力学の理論に基づいて、ねじり剛性を向上させるための典型的な形状を検討する。前記図３に示すアーム部Ａについて、軽量化を維持しつつねじり剛性を向上させるには、極２次モーメントを大きくすることが有効である。
【００３２】
図４は、材料力学的にねじり剛性の観点からアーム部を単純な円板とみなした場合の典型例を示す図である。図４（ａ）は矩形断面円板を示し、図４（ｂ）は凸型断面円板を示し、図４（ｃ）は凹型断面円板を示す。図４（ａ）に示す矩形断面円板、図４（ｂ）に示す凸型断面円板、及び図４（ｃ）に示す凹型断面円板の各重量は、軽量化の維持を考慮し、同一としている。すなわち、これらの円板は、断面形状が矩形、凸型及び凹型と互いに異なっているが、これらの円板の体積は同一である。
【００３３】
具体的には、図４（ａ）に示す矩形断面円板の断面形状は、矩形であり、厚みがＨ０で直径がＢ０である。図４（ｂ）に示す凸型断面円板の断面形状は、中央部が外周部よりも突出した凸型であり、最外周の直径がＢ０である。その中央部は、突出した分の厚みがＨ２で直径がＢ２であり、その外周部は厚みがＨ１である。一方、図４（ｃ）に示す凹型断面円板の断面形状は、中央部が外周部よりも窪んだ凹型であり、最外周の直径がＢ０である。その中央部は、厚みがＨ１で窪みの深さがＨ３であり、窪みの直径がＢ３である。
【００３４】
これらの円板のねじり剛性の大小関係について、重量を同一とした条件下で調べる。一般に、材料力学の理論によれば、ねじり剛性と極２次モーメントとねじれ角との間には、下記の式（３）〜式（５）で表される関係がある。式（３）〜式（５）の関係より、極２次モーメントを大きくすることが、ねじり剛性の向上に有効である。
【００３５】
ねじり剛性：Ｇ×Ｊ／Ｌ  …（３）
極２次モーメント：Ｊ＝（π／３２）×ｄ４  …（４）
ねじれ角：γ＝Ｔ×Ｌ／（Ｇ×Ｊ）  …（５）
式（３）〜式（５）中、Ｌは軸方向長さ、Ｇは横弾性率、ｄは丸棒の半径、Ｔはねじりトルクである。
【００３６】
図４に示す３種の円板において、重量が同一という条件は、体積が同一であるという条件を意味する。このため、それらの３種の円板の各寸法パラメータに関して下記の式（６）の関係がある。
（π／４）×Ｂ０×Ｂ０×Ｈ０＝（π／４）×（Ｂ０×Ｂ０×Ｈ１＋Ｂ２×Ｂ２×Ｈ２）＝（π／４）×｛Ｂ０×Ｂ０×（Ｈ１＋Ｈ３）−Ｂ３×Ｂ３×Ｈ３）｝  …（６）
【００３７】
そして、３種の円板それぞれの極２次モーメントは、厚みを考慮して、下記の式（７）〜式（９）で表される。
矩形断面円板の極２次モーメント：
Ｊ（Ａ）＝（π／３２）×Ｈ１×Ｂ０４  …（７）
【００３８】
凸型断面円板の極２次モーメント：
Ｊ（Ｂ）＝（π／３２）×（Ｈ１×Ｂ０４＋Ｈ２×Ｂ２４）  …（８）
【００３９】
凹型断面円板の極２次モーメント：
Ｊ（Ｃ）＝（π／３２）×｛（Ｈ１＋Ｈ３）×Ｂ０４−Ｈ３×Ｂ３４｝  …（９）
【００４０】
これらの式（７）〜式（９）から、矩形断面円板の極２次モーメントＪ（Ａ）、凸型断面円板の極２次モーメントＪ（Ｂ）及び凹型断面円板の極２次モーメントＪ（Ｃ）の大小関係は、下記の式（１０）で示すとおりになる。
Ｊ（Ｂ）  ＜  Ｊ（Ａ）  ＜  Ｊ（Ｃ）  …（１０）
【００４１】
この式（１０）が材料力学から理論的に導かれる結論である。この結論は、定性的に言えば、ねじりの中心からの距離が遠いところに多くの部材が配置される断面形状の方が、極２次モーメントが高くなる、という材料力学的な考察から理解できる。
【００４２】
例えば、同一重量である条件、すなわち上記式（６）を満たす条件の実例として、各寸法パラメータを下記のとおりに設定した場合のことを考える。
Ｂ０＝１００ｍｍ、Ｈ０＝２０ｍｍ、Ｈ１＝１０ｍｍ、Ｈ２＝Ｈ３＝２０ｍｍ、Ｂ２＝Ｂ３＝１００／√２＝７０．７１ｍｍ。
【００４３】
この実例の場合、矩形断面円板の極２次モーメントＪ（Ａ）は、上記式（７）より、下記の式（１１）で示すとおりに求まる。
Ｊ（Ａ）＝１．９６×１０８  …（１１）
【００４４】
凸型断面円板の極２次モーメントＪ（Ｂ）は、上記式（８）より、下記の式（１２）で示すとおりに求まる。
Ｊ（Ｂ）＝１．４７×１０８  …（１２）
【００４５】
凹型断面円板の極２次モーメントＪ（Ｃ）は、上記式（９）より、下記の式（１３）で示すとおりに求まる。
Ｊ（Ｃ）＝２．４５×１０８  …（１３）
【００４６】
これらの式（１１）〜式（１３）より、上記式（１０）の関係が成り立つことが数値的に確認できる。
【００４７】
したがって、ねじり荷重に対しては、凸型断面円板、矩形断面円板、凹型断面円板の順序で、ねじり剛性が高くなり、凹型断面円板が最も好ましい形状であると言える。
【００４８】
２−１−２．曲げ剛性を向上させる形状
ここでは、材料力学の理論に基づいて、曲げ剛性を向上させるための典型的な形状を検討する。前記図２に示すアーム部Ａについて、軽量化を維持しつつ曲げに対する曲げ剛性を向上させるには、断面形状の曲げ断面２次モーメントを大きくすることが効率的である。
【００４９】
図５は、材料力学的に曲げ剛性の観点からアーム部の断面形状を単純化しアーム部を単純な梁とみなした場合の典型例を示す図である。図５（ａ）は矩形断面梁を示し、図５（ｂ）は凸型断面梁を示し、図５（ｃ）は凹型断面梁を示す。図５（ａ）に示す矩形断面梁、図５（ｂ）に示す凸型断面梁、及び図５（ｃ）に示す凹型断面梁の各重量は、軽量化の維持を考慮し、同一としている。すなわち、これらの梁は、断面形状が矩形、凸型及び凹型と互いに異なっているが、これらの梁の断面積は同一である。
【００５０】
具体的には、図５（ａ）に示す矩形断面梁の断面形状は、矩形であり、厚みがＨ０で幅がＢ３である。図５（ｂ）に示す凸型断面梁の断面形状は、中央部が両側部よりも突出した凸型であり、全幅がＢ３である。その中央部は、厚みがＨ２で幅がＢ２であり、その両側部はそれぞれ厚みがＨ１で幅がＢ１／２である。一方、図５（ｃ）に示す凹型断面梁の断面形状は、中央部が両側部よりも窪んだ凹型であり、全幅がＢ３である。その中央部は、厚みがＨ１で幅がＢ１であり、その両側部はそれぞれ厚みがＨ２で幅がＢ２／２である。
【００５１】
これらの梁の曲げ荷重に対する剛性の大小関係について、重量を同一とした条件下で調べる。一般に、材料力学の理論から、矩形梁の曲げ剛性と断面２次モーメントの関係は下記の式（１４）〜式（１６）で表される。式（１４）〜式（１６）の関係より、断面２次モーメントを大きくすることが、曲げ剛性の向上に有効である。
【００５２】
曲げ剛性：Ｅ×Ｉ  …（１４）
断面２次モーメント：Ｉ＝（１／１２）×ｂ×ｈ３  …（１５）
たわみ変位：ｕ＝ｋ（Ｍ／（Ｅ×Ｉ））  …（１６）
式（１４）〜式（１６）中、ｂは幅、ｈは厚み、Ｅは縦弾性率、Ｍは曲げモーメント、ｋは形状係数である。
【００５３】
図５に示す３種の梁において、重量が同一という条件は、体積が互いに同一、すなわち断面の面積が互いに同一であるという条件を意味する。このため、それらの３種の梁の各寸法パラメータに関して下記の式（１７）の関係がある。
Ｂ３×Ｈ０＝（Ｈ２×Ｂ２＋Ｂ１×Ｈ１）＝（Ｈ２×Ｂ２＋Ｂ１×Ｈ１）  …（１７）
【００５４】
そして、３種の梁それぞれの断面２次モーメントは、下記の式（１８）〜式（２０）で表される。
矩形断面梁の断面２次モーメント：
Ｉ（Ｄ）＝（１／１２）×Ｂ３×Ｈ０３  …（１８）
【００５５】
凸型断面梁の断面２次モーメント：
Ｉ（Ｅ）＝１／３×（Ｂ３×Ｅ２３−Ｂ１×Ｈ３３  ＋Ｂ２×Ｅ１３）  …（１９）
式（１９）中、
Ｅ２は「（Ｂ２×Ｈ２２＋Ｂ１×Ｈ１２）／｛２×（Ｂ２×Ｈ２＋Ｂ１×Ｈ１）｝」、
Ｅ１は「Ｈ２−Ｅ２」、
Ｈ３は「Ｅ２−Ｈ１」である。
【００５６】
凹型断面梁の断面２次モーメント：
Ｉ（Ｆ）＝１／３×（Ｂ３×Ｅ２３−Ｂ１×Ｈ３３  ＋Ｂ２×Ｅ１３）  …（２０）
式（２０）中、
Ｅ２は「（Ｂ２×Ｈ２２＋Ｂ１×Ｈ１２）／｛２×（Ｂ２×Ｈ２＋Ｂ１×Ｈ１）｝」、
Ｅ１は「Ｈ２−Ｅ２」、
Ｈ３は「Ｅ２−Ｈ１」である。
【００５７】
上記式（１９）と上記式（２０）は形が同じである。これは、重量が同一という条件下では、凸型断面梁の断面２次モーメントＩ（Ｅ）と凹型断面梁の断面２次モーメントＩ（Ｆ）が同じになることを示す。
【００５８】
要するに、矩形断面梁の断面２次モーメントＩ（Ｄ）、凸型断面梁の断面２次モーメントＩ（Ｅ）及び凹型断面梁の断面２次モーメントＩ（Ｆ）の大小関係は、下記の式（２１）で示すとおりになる。
Ｉ（Ｄ）  ＜  Ｉ（Ｅ）  ＝  Ｉ（Ｆ）  …（２１）
【００５９】
この式（２１）が材料力学から理論的に導かれる結論である。この結論は、定性的に言えば、曲げの中立面からの距離が遠いところに、多くの部材が配置される断面形状の方が、断面２次モーメントが高くなるという材料力学的な考察から理解できる。
【００６０】
例えば、同一重量である条件、すなわち上記式（１７）を満たす条件の実例として、各寸法パラメータを下記のとおりに設定した場合のことを考える。
Ｂ１＝Ｂ２＝５０ｍｍ、Ｂ３＝１００ｍｍ、Ｈ０＝２０ｍｍ、Ｈ１＝１０ｍｍ、Ｈ２＝３０ｍｍ。このとき、Ｅ１＝１２．５ｍｍ、Ｅ２＝１７．５ｍｍ、Ｈ３＝７．５ｍｍとなる。
【００６１】
この実例の場合、矩形断面梁の断面２次モーメントＩ（Ｄ）は、上記式（１８）より、下記の式（２２）で示すとおりに求まる。
Ｉ（Ｄ）＝６．６７×１０４  …（２２）
【００６２】
凸型断面梁の断面２次モーメントＩ（Ｅ）は、上記式（１９）より、下記の式（２３）で示すとおりに求まる。
Ｉ（Ｅ）＝２．０４×１０５  …（２３）
【００６３】
凹型断面梁の断面２次モーメントＩ（Ｆ）は、上記式（２０）より、下記の式（２４）で示すとおりに求まる。
Ｉ（Ｆ）＝２．０４×１０５  …（２４）
【００６４】
これらの式（２２）〜式（２４）より、上記式（２１）の関係が成り立つことが数値的に確認できる。
【００６５】
したがって、曲げ荷重に対しては、凸型断面梁と凹型断面梁は同等の曲げ剛性を有すると言える。また、矩形断面梁よりも、アーム部の一部を厚肉化したような凸型断面梁又は凹型断面梁の方が、曲げ剛性が高く好ましい形状であると言える。
【００６６】
２−１−３．曲げ剛性とねじり剛性を向上させる基本形状のまとめ
図６は、曲げ剛性とねじり剛性に直接関連する断面２次モーメント及び極２次モーメントについて、断面形状に応じて大小関係をまとめた図である。図６では、前記図４及び図５に示す矩形断面、凸型断面及び凹型断面の断面形状ごとに、極２次モーメント及び断面２次モーメントを、矩形断面を基準「１」とした比率で表示する。
【００６７】
図６に示す結果から、曲げ剛性とねじり剛性を共に効率的に向上させるために共通する手段として、アーム部の厚みを厚肉化することがあると言える。図６に示すように、断面形状が凸型又は凹型であれば曲げ剛性が高まり、一方、断面形状が凹型であればねじり剛性が高まる。このことから、これらの断面形状を組み合わせることにより、曲げ剛性とねじり剛性が共に向上する。
【００６８】
２−２．本発明のクランク軸の概要
上述したように、曲げ剛性とねじり剛性を共に向上させるには、アーム部の断面形状を凸型と凹型を組み合わせた形状に設計することが有効である。すなわち、アーム部の輪郭に沿った両側の縁部を厚肉化し、この縁部の内側を薄肉化する。更にその薄肉化された部分の内側である中央部（アーム部中心線上でジャーナル部寄りの部分）を厚肉化する。アーム部のねじり中心から遠い縁部を厚肉化すると同時に、その内側を薄肉化することにより、軽量化を実現しつつ、ねじり剛性を高く確保できる。アーム部の縁部の厚肉化は、曲げ剛性の確保に寄与する。加えて、曲げ剛性の確保には、アーム部の中央部の厚肉化が寄与する。
【００６９】
以上のことを踏まえ、本実施形態によるクランク軸は、アーム部のピン部側の表面において、この表面の輪郭に沿った両側それぞれの縁部の内側にこの縁部に沿って凹部が形成されたものである。これにより、アーム部の凹部の外側の縁部が厚肉化され、その縁部の内側が凹部によって薄肉化される。更にその凹部の内側が厚肉化される。そのため、本実施形態のクランク軸は、軽量化とねじり剛性及び曲げ剛性の向上を実現できる。
【００７０】
２−３．具体例
［第１実施形態］
図７は、第１実施形態のクランク軸におけるアーム部形状の一例を模式的に示す図である。図７（ａ）はピン部側からの軸方向視での正面図を示し、図７（ｂ）はＡ−Ａ断面図を示し、図７（ｃ）はＢ−Ｂ断面図を示し、図７（ｄ）はＣ−Ｃ断面図を示し、図７（ｅ）はＤ−Ｄ断面図を示す。図７（ｂ）のＡ−Ａ断面は、アーム部中心線Ａｃ上の断面である。図７（ｃ）のＢ−Ｂ断面図は、アーム部中心線Ａｃに直角でクランク軸の回転中心（ジャーナル部の軸心Ｊｃ）を通る断面である。図７（ｄ）のＣ−Ｃ断面は、Ｂ−Ｂ断面と平行でクランク軸の回転中心よりもピン部寄りの断面であり、図７（ｅ）のＤ−Ｄ断面は、Ｂ−Ｂ断面と平行でクランク軸の回転中心よりもウエイト部寄りの断面である。
【００７１】
図７に示す第１実施形態のアーム部Ａでは、ピン部Ｐ側の表面に、アーム部中心線Ａｃに対して対称に凹部１０（第１の凹部及び第２の凹部）が形成される。具体的には、アーム部Ａは、ピン部Ｐ側の表面の輪郭に沿った両側それぞれに縁部１１を有する。各縁部１１の内側に各縁部１１に沿って、凹部１０（第１の凹部及び第２の凹部）が形成される。これにより、アーム部Ａの両側の縁部１１が厚肉化され、その縁部１１の内側が凹部１０によって薄肉化される。更にその凹部１０（第１の凹部及び第２の凹部）の内側の中央部が厚肉化される。その結果、このクランク軸は、軽量化とねじり剛性及び曲げ剛性の向上を実現できる。
【００７２】
［第２実施形態］
図８は、第２実施形態のクランク軸におけるアーム部形状の一例を模式的に示す図である。図８（ａ）はピン部側からの軸方向視での正面図を示し、図８（ｂ）はＥ−Ｅ断面図を示し、図８（ｃ）はＦ−Ｆ断面図を示し、図８（ｄ）はＧ−Ｇ断面図を示し、図８（ｅ）はＨ−Ｈ断面図を示す。図８のＥ−Ｅ断面、Ｆ−Ｆ断面、Ｇ−Ｇ断面、Ｈ−Ｈ断面は、それぞれ前記図７のＡ−Ａ断面、Ｂ−Ｂ断面、Ｃ−Ｃ断面、Ｄ−Ｄ断面の位置に対応する。
【００７３】
図８に示す第２実施形態のアーム部Ａは、前記図７に示す第１実施形態のアーム部Ａの構成を基本とし、その構成の一部を変形したものである。第２実施形態では、図８に示すように、アーム部Ａのピン部Ｐ側の表面に形成された凹部１０（第１の凹部及び第２の凹部）が、アーム部中心線Ａｃまで伸び出す。凹部１０（第１の凹部及び第２の凹部）はクランク軸の回転中心、すなわちジャーナル部Ｊの軸心Ｊｃの位置でつながる（第３の凹部）。
【００７４】
第２実施形態では、アーム部Ａの両側の縁部１１が厚肉化され、その縁部１１の内側が凹部１０（第１の凹部及び第２の凹部）によって薄肉化される。更にその凹部１０（第１の凹部及び第２の凹部）の内側の中央部が厚肉化される。また、第２実施形態では、上記の第１実施形態と比較し、アーム部Ａの両側の凹部１０（第１の凹部及び第２の凹部）がつながったため（第３の凹部）、凹部１０（第１の凹部、第２の凹部及び第３の凹部）の領域が広い。このため、第２実施形態のアーム部Ａは、上記の第１実施形態と同様に、クランク軸の軽量化とねじり剛性及び曲げ剛性の向上を実現できる。特に、第２実施形態のアーム部Ａの形状は、クランク軸全体の軽量化に有効である。
【００７５】
［第３実施形態］
図９は、第３実施形態のクランク軸におけるアーム部形状の一例を模式的に示す図である。図９（ａ）はピン部側からの軸方向視での正面図を示し、図９（ｂ）はＩ−Ｉ断面図を示し、図９（ｃ）はＪ−Ｊ断面図を示し、図９（ｄ）はＫ−Ｋ断面図を示し、図９（ｅ）はＬ−Ｌ断面図を示す。図９のＩ−Ｉ断面、Ｊ−Ｊ断面、Ｋ−Ｋ断面、Ｌ−Ｌ断面は、それぞれ前記図７のＡ−Ａ断面、Ｂ−Ｂ断面、Ｃ−Ｃ断面、Ｄ−Ｄ断面の位置に対応する。
【００７６】
図９に示す第３実施形態のアーム部Ａは、前記図７に示す第１実施形態のアーム部Ａの構成の一部を変形したものである。第３実施形態では、図９に示すように、アーム部Ａのピン部Ｐ側の表面に形成された凹部１０（第１の凹部及び第２の凹部）が、クランク軸の回転中心よりもピン部Ｐ寄りの位置でつながる（第３の凹部）。
【００７７】
第３実施形態では、アーム部Ａの両側の縁部１１が厚肉化され、その縁部１１の内側が凹部１０（第１の凹部及び第２の凹部）によって薄肉化される。更にその凹部１０（第１の凹部及び第２の凹部）の内側の中央部が厚肉化される。これに加えて凹部１０（第１の凹部、第２の凹部及び第３の凹部）の領域が第１実施形態と比較して広い。このため、第３実施形態のアーム部Ａは、上記の第２実施形態と同様の効果を有する。
【００７８】
［第４実施形態］
図１０は、第４実施形態のクランク軸におけるアーム部形状の一例を模式的に示す図である。図１０（ａ）はピン部側からの軸方向視での正面図を示し、図１０（ｂ）はＭ−Ｍ断面図を示し、図１０（ｃ）はＮ−Ｎ断面図を示し、図１０（ｄ）はＯ−Ｏ断面図を示し、図１０（ｅ）はＰ−Ｐ断面図を示す。図１０のＭ−Ｍ断面、Ｎ−Ｎ断面、Ｏ−Ｏ断面、Ｐ−Ｐ断面は、それぞれ前記図７のＡ−Ａ断面、Ｂ−Ｂ断面、Ｃ−Ｃ断面、Ｄ−Ｄ断面の位置に対応する。
【００７９】
図１０に示す第４実施形態のアーム部Ａは、前記図７に示す第１実施形態のアーム部Ａの構成の一部を変形したものである。第４実施形態では、図１０に示すように、アーム部Ａのピン部Ｐ側の表面に形成された凹部１０（第１の凹部及び第２の凹部）が、クランク軸の回転中心よりもウエイト部Ｗ寄りの位置でつながる（第３の凹部）。特に、図１０に示す凹部１０（第１の凹部及び第２の凹部）は、ジャーナル部Ｊの輪郭に沿ってつながる（第３の凹部）。
【００８０】
第４実施形態では、アーム部Ａの両側の縁部１１が厚肉化され、その縁部１１の内側が凹部１０（第１の凹部及び第２の凹部）によって薄肉化される。更にその凹部１０（第１の凹部及び第２の凹部）の内側の中央部が厚肉化される。これに加えて凹部１０（第１の凹部、第２の凹部及び第３の凹部）の領域が第１実施形態と比較して広い。このため、第４実施形態のアーム部Ａは、上記の第２、第３実施形態と同様の効果を有する。
【００８１】
本実施形態のクランク軸は、あらゆるレシプロエンジンに搭載されるクランク軸を対象とする。すなわち、エンジンの気筒数は、２気筒、３気筒、４気筒、６気筒、８気筒及び１０気筒のいずれでもよく、更に多いものであってもよい。エンジン気筒の配列も、直列配置、Ｖ型配置、対向配置等を特に問わない。エンジンの燃料も、ガソリン、ディーゼル、バイオ燃料等の種類を問わない。また、エンジンとしては、内燃機関と電気モータを複合してなるハイブリッドエンジンも含む。
【産業上の利用可能性】
【００８２】
本発明は、あらゆるレシプロエンジンに搭載されるクランク軸に有効に利用できる。
【符号の説明】
【００８３】
１：クランク軸、
Ｊ、Ｊ１〜Ｊ５：ジャーナル部、    Ｊｃ：ジャーナル部の軸心、
Ｐ、Ｐ１〜Ｐ４：ピン部、    Ｐｃ：ピン部の軸心、
Ｆｒ：フロント部、    Ｆｌ：フランジ部、
Ａ、Ａ１〜Ａ８：クランクアーム部、    Ａｃ：アーム部中心線、
Ｗ、Ｗ１〜Ｗ８：カウンターウエイト部、
２：ダンパプーリ、    ３：フライホイール、
１０：凹部、    １１：縁部
【図１】
2018197610.tif 000003
【図２】
2018197610.tif 000004
【図３】
2018197610.tif 000005
【図４】
2018197610.tif 000006
【図５】
2018197610.tif 000007
【図６】
2018197610.tif 000008
【図７】
2018197610.tif 000009
【図８】
2018197610.tif 000010
【図９】
2018197610.tif 000011
【図１０】
2018197610.tif 000012